(57)【要約】【課題】  本発明は、メモリダイアル機能を利用するための、名前情報と電話番号の登録処理を簡略化することができる電話装置を提供することを目的とする。【解決手段】  本発明の電話装置は、通話相手先の電話番号を検出する機能を有する無線部１０１と、氏名を表す文字コードと少なくとも電話番号とを対応付けて記憶するメモリ部１０４と、を備えた電話装置であって、前記無線部１０１による通話中の音声信号のうちの、通話相手の氏名に該当する音声信号を抽出し、その抽出した音声信号を文字コードに変換し、その変換した文字コードと、前記無線部１０１により検出した通話相手先の電話番号と、を対応付けて前記メモリ部１０４に記憶させるＤＳＰ処理部１０２、ＣＰＵ処理部１０３と、を備えるものである。【選択図】  図１
2006174111.tif 000002
【特許請求の範囲】
【請求項１】
通話相手先の電話番号を検出する機能を有する通話手段と、氏名を表す文字コードと少なくとも電話番号とを対応付けて記憶する電話帳記憶手段と、を備えた電話装置であって、
前記通話手段による通話中の音声信号のうちの、通話相手の氏名に該当する音声信号を抽出する抽出手段と、
前記抽出手段により抽出した音声信号を文字コードに変換する変換手段と、
前記変換手段により変換した文字コードと、前記通話手段により検出した通話相手先の電話番号と、を対応付けて前記電話帳記憶手段に記憶させる電話帳登録手段と、
を備える電話装置。
【請求項２】
請求項１記載の電話装置であって、
氏名を表す文字コードと当該氏名に基づく音データとを対応付けて記憶する氏名記憶手段を備え、
前記抽出手段は、前記氏名記憶手段に記憶した音データを参照して、前記通話相手の氏名に該当する音声信号を抽出する電話装置。
【請求項３】
請求項２記載の電話装置であって、
前記変換手段は、前記抽出手段により抽出した音声信号を、前記氏名記憶手段に記憶した、当該音声信号に対応する前記音データに対応付けられた文字コードに変換する電話装置。
【請求項４】
請求項１から３のいずれかに記載の電話装置であって、
前記電話帳登録手段は、前記電話帳記憶手段が前記通話手段により検出した通話相手先の電話番号に該当する電話番号を記憶していない場合、前記変換手段により変換した文字コードと、当該通話相手先の電話番号と、を対応付けて前記電話帳記憶手段に記憶させる電話装置。
【請求項５】
請求項１から４のいずれかに記載の電話装置であって、
前記通話手段による通話履歴を記憶する通話履歴記憶手段を備え、
前記電話帳登録手段は、前記通話履歴記憶手段に記憶した通話履歴に基づき、前記変換手段により変換した文字コードと、前記通話手段により検出した通話相手先の電話番号と、を対応付けて前記電話帳記憶手段に記憶させる電話装置。
【請求項６】
請求項２から５のいずれかに記載の電話装置であって、
各種情報を音により出力する第１の音出力手段を備え、
前記第１の音出力手段は、前記通話手段による着信時、前記氏名記憶手段に記憶した、前記通話相手の電話番号に対応する文字コードに対応付けられた音データを出力する電話装置。
【請求項７】
請求項２から６のいずれかに記載の電話装置であって、
各種情報を音により出力する第１の音出力手段を備え、
前記電話帳登録手段は、前記抽出手段により抽出した音声信号を、前記変換手段により変換した文字コードに対応付けて前記氏名記憶手段に記憶させる氏名登録手段を含み、
前記第１の音出力手段は、前記通話手段による着信時、前記氏名記憶手段に記憶した、前記通話相手の電話番号に対応する文字コードに対応付けられた音声信号を出力する電話装置。
【請求項８】
請求項１から７のいずれかに記載の電話装置であって、
各種情報の入力を受け付ける入力手段を備え、
前記電話帳登録手段は、前記入力手段が当該電話帳登録手段による登録許可の情報を受け付けた場合に、前記変換手段により変換した文字コードと、前記通話手段により検出した通話相手先の電話番号と、を対応付けて前記電話帳記憶手段に記憶させる電話装置。
【請求項９】
請求項８記載の電話装置であって、
前記入力手段は、入力操作を受け付ける操作手段を含み、
前記電話帳登録手段は、前記操作手段が当該電話帳登録手段による登録許可の操作を受け付けた場合に、前記変換手段により変換した文字コードと、前記通話手段により検出した通話相手先の電話番号と、を対応付けて前記電話帳記憶手段に記憶させる電話装置。
【請求項１０】
請求項８記載の電話装置であって、
前記入力手段は、各種情報を音声により入力する音声入力手段を含み、
前記音声入力手段により入力した音声が前記電話帳登録手段による登録許可に該当する音声であることを検知する検知手段を備え、
前記電話帳登録手段は、前記検知手段が当該電話帳登録手段による登録許可に該当する音声であることを検知した場合に、前記変換手段により変換した文字コードと、前記通話手段により検出した通話相手先の電話番号と、を対応付けて前記電話帳記憶手段に記憶させる電話装置。
【請求項１１】
請求項８から１０のいずれかに記載の電話装置であって、
各種情報を通知する通知手段を備え、
前記通知手段は、前記入力手段による登録許可または登録禁止の情報の入力を促すための登録ガイダンスを通知する電話装置。
【請求項１２】
請求項１１記載の電話装置であって、
前記通知手段は、各種情報を表示する表示手段を含み、
前記表示手段は、前記登録ガイダンスを表示する電話装置。
【請求項１３】
請求項１１記載の電話装置であって、
前記通知手段は、各種情報を音出力する第２の音出力手段を含み、
前記第２の音出力手段は、前記登録ガイダンスを音出力する電話装置。
【発明の詳細な説明】
【技術分野】
【０００１】
本発明は、メモリダイアル機能を備える電話装置、特に、メモリダイヤル機能を利用するための、名前情報および電話番号を簡易に登録することができる電話装置に関する。
【背景技術】
【０００２】
現在広く利用されている電話装置のほとんどは、メモリダイアル機能を備えている。ここで述べているメモリダイヤル機能とは、名前情報と、電話番号または電子メールアドレスなどの通信用の識別情報と、を関連付けた情報を電話装置に備えられたメモリに予め登録しておき、電話装置に備えられた操作キーにより名前情報を選択すると、その名前情報に該当する通信用の識別情報をメモリから読み出し、その読み出した通信用の識別情報を参照して通信を開始する機能のことを指している。このメモリダイヤル機能により、電話装置利用者は、これら通信用の識別情報を該当名前情報毎に覚えたり、メモしておく必要がなく、簡易に通信を開始することができる。
【０００３】
上述のメモリダイアル機能を利用するためには、予め名前情報とその名前情報に対応する通信用の識別情報を登録しておく必要がある。その登録操作の際、メモリダイアル登録モードに切り替えるための操作を行った上で、名前情報と、電話番号または電子メールアドレスなどと、を操作キーにより入力して、入力した名前情報と電話番号または電子メールアドレスなどとを対応付けて登録することが一般的である。
【０００４】
また、従来の電話装置には、メモリダイアル登録モード時に音声入力した、名前情報と電話番号とを認識して、その名前情報と電話番号とを登録するものがある（特許文献１参照）。この電話装置により、操作キーによる名前情報と電話番号の登録操作を省くことができるため、名前情報と電話番号の登録時の処理を簡略化することができる。
【特許文献１】特開平１１−０６５５９０号公報
【発明の開示】
【発明が解決しようとする課題】
【０００５】
しかしながら、従来の電話装置は、名前情報と電話番号を音声入力するための手間がかかってしまい、名前情報と電話番号の登録時の処理においてより一層の簡略化が望まれている。
【０００６】
本発明は、上記事情に鑑みてなされたもので、メモリダイアル機能を利用するための、名前情報と電話番号の登録処理を簡略化することができる電話装置を提供することを目的とする。
【課題を解決するための手段】
【０００７】
本発明の電話装置は、通話相手先の電話番号を検出する機能を有する通話手段と、氏名を表す文字コードと少なくとも電話番号とを対応付けて記憶する電話帳記憶手段と、を備えた電話装置であって、前記通話手段による通話中の音声信号のうちの、通話相手の氏名に該当する音声信号を抽出する抽出手段と、前記抽出手段により抽出した音声信号を文字コードに変換する変換手段と、前記変換手段により変換した文字コードと、前記通話手段により検出した通話相手先の電話番号と、を対応付けて前記電話帳記憶手段に記憶させる電話帳登録手段と、を備えるものである。
【０００８】
また、本発明の電話装置は、氏名を表す文字コードと当該氏名に基づく音データとを対応付けて記憶する氏名記憶手段を備え、前記抽出手段が、前記氏名記憶手段に記憶した音データを参照して、前記通話相手の氏名に該当する音声信号を抽出するものを含む。
【０００９】
また、本発明の電話装置は、前記変換手段が、前記抽出手段により抽出した音声信号を、前記氏名記憶手段に記憶した、当該音声信号に対応する前記音データに対応付けられた文字コードに変換するものを含む。
【００１０】
この構成によれば、実際の通話における音声情報の中から抽出した相手の名前を利用して該当者の情報を電子電話帳に登録することができるので、登録の際に相手の名前をキー操作で入力する必要がなく、入力操作が非常に簡単になる。
【００１１】
また、本発明の電話装置は、前記電話帳登録手段が、前記電話帳記憶手段が前記通話手段により検出した通話相手先の電話番号に該当する電話番号を記憶していない場合、前記変換手段により変換した文字コードと、当該通話相手先の電話番号と、を対応付けて前記電話帳記憶手段に記憶させるものを含む。
【００１２】
この構成によれば、既に電子電話帳に登録された相手先から着信があった場合には、相手先の名前などが音声メッセージとして出力されるので、相手先を確認するのが極めて容易になる。
【００１３】
また、本発明の電話装置は、前記通話手段による通話履歴を記憶する通話履歴記憶手段を備え、前記電話帳登録手段が、前記通話履歴記憶手段に記憶した通話履歴に基づき、前記変換手段により変換した文字コードと、前記通話手段により検出した通話相手先の電話番号と、を対応付けて前記電話帳記憶手段に記憶させるものを含む。
【００１４】
この構成によれば、繰り返し着信があった相手先（発信元）や、自局から繰り返しダイアルする相手先（発信先）のように通話する頻度が高い相手先だけが登録候補として自動的に選択されるので、電子電話帳に登録する必要のない相手先、すなわち仮に電子電話帳に登録したとしてもその情報を利用する可能性が低い相手先について無駄な作業を行う必要がなくなる。
【００１５】
また、本発明の電話装置は、各種情報を音により出力する第１の音出力手段を備え、前記第１の音出力手段が、前記通話手段による着信時、前記氏名記憶手段に記憶した、前記通話相手の電話番号に対応する文字コードに対応付けられた音データを出力するものを含む。
【００１６】
また、本発明の電話装置は、各種情報を音により出力する第１の音出力手段を備え、前記電話帳登録手段が、前記抽出手段により抽出した音声信号を、前記変換手段により変換した文字コードに対応付けて前記氏名記憶手段に記憶させる氏名登録手段を含み、前記第１の音出力手段が、前記通話手段による着信時、前記氏名記憶手段に記憶した、前記通話相手の電話番号に対応する文字コードに対応付けられた音声信号を出力するものを含む。
【００１７】
この構成によれば、通話相手の名前を含む呼出音を着信音に設定することができるため、音のみで通話相手を通知することができる。
【００１８】
また、本発明の電話装置は、各種情報の入力を受け付ける入力手段を備え、前記電話帳登録手段が、前記入力手段が当該電話帳登録手段による登録許可の情報を受け付けた場合に、前記変換手段により変換した文字コードと、前記通話手段により検出した通話相手先の電話番号と、を対応付けて前記電話帳記憶手段に記憶させるものを含む。
【００１９】
また、本発明の電話装置は、前記入力手段が、入力操作を受け付ける操作手段を含み、前記電話帳登録手段が、前記操作手段が当該電話帳登録手段による登録許可の操作を受け付けた場合に、前記変換手段により変換した文字コードと、前記通話手段により検出した通話相手先の電話番号と、を対応付けて前記電話帳記憶手段に記憶させるものを含む。
【００２０】
また、本発明の電話装置は、前記入力手段が、各種情報を音声により入力する音声入力手段を含み、前記音声入力手段により入力した音声が前記電話帳登録手段による登録許可に該当する音声であることを検知する検知手段を備え、前記電話帳登録手段が、前記検知手段が当該電話帳登録手段による登録許可に該当する音声であることを検知した場合に、前記変換手段により変換した文字コードと、前記通話手段により検出した通話相手先の電話番号と、を対応付けて前記電話帳記憶手段に記憶させるものを含む。
【００２１】
この構成によれば、通話相手先に関する電子電話帳への登録に関する入力操作を音声で行うことができるので、入力操作がより簡単であり、また目や手に障害のある障害者や高齢者であっても容易に入力操作を行うことができる。
【００２２】
また、本発明の電話装置は、各種情報を通知する通知手段を備え、前記通知手段が、前記入力手段による登録許可または登録禁止の情報の入力を促すための登録ガイダンスを通知するものを含む。
【００２３】
この構成によれば、通話を行ってそれが終了した時に、案内メッセージに従って入力操作を行うだけでその時の通話相手先に関する電子電話帳への登録を行うことができるので、通話した相手先の登録を忘れることがなくなり、入力操作がより簡単になる。
【００２４】
また、本発明の電話装置は、前記通知手段が、各種情報を表示する表示手段を含み、前記表示手段が、前記登録ガイダンスを表示するものを含む。
【００２５】
また、本発明の電話装置は、前記通知手段が、各種情報を音出力する第２の音出力手段を含み、前記第２の音出力手段が、前記登録ガイダンスを音出力するものを含む。
【００２６】
この構成によれば、案内メッセージが音声で通知されるので、案内メッセージを見落とす心配がなく、また目に障害のある障害者や高齢者であっても確実に案内メッセージを確認できる。
【発明の効果】
【００２７】
本発明の電話装置によれば、メモリダイアル機能を利用するための、名前情報と電話番号の登録処理を簡略化することができる。
【発明を実施するための最良の形態】
【００２８】
（第１の実施の形態）
本発明の第１の実施の形態の電話装置について、図１から図５を参照しながら説明する。
【００２９】
図１は、本発明の第１の実施の形態の電話装置のハードウェアの構成例を示すブロック図である。図２は、当該電話装置における主要動作の処理手順を示すフローチャートである。図３は、当該電話装置のキー操作部の配置例である。図４は、当該電話装置の音声認識部のブロック図である。図５は、当該電話装置のメモリ登録選択時の画面表示例である。
【００３０】
本発明の第１の実施の形態では、図１に示すような構成のハードウェアを備えた電話装置が本発明を実施する場合を想定している。すなわち、本発明の第１の実施の形態の電話装置は、無線部１０１、ＤＳＰ処理部１０２、ＣＰＵ処理部１０３、メモリ１０４、音声入出力部１０５、画面表示部１０６、キー操作部１０７、スピーカ１０８、マイク１０９及びレシーバ１１０を備えている。
【００３１】
無線部１０１は、携帯電話の無線信号の送信または受信に必要な信号処理を行う。ＤＳＰ処理部１０２は、信号のデジタル処理を高速で処理するためのハードウェアを備えている。ＣＰＵ処理部１０３は、マイクロプロセッサを内蔵しており、予め用意されているプログラムを実行し、電話装置に備わる各部の制御を行う。
【００３２】
メモリ１０４は、書き込み及び読み出しが可能なメモリ（ＲＡＭ）と、読み出し専用のメモリ（ＲＯＭ）とを備えている。メモリ１０４のＲＯＭの領域には、予め用意されたプログラムや辞書のデータベースなどが保持されている。メモリ１０４のＲＡＭの領域は、様々な情報が必要に応じて書き込まれ、書き込まれた情報が必要に応じて参照される。
【００３３】
音声入出力部１０５は、音声の入力及び出力のための信号処理を行う。すなわち、マイク１０９から入力した当該電話装置利用者の音声などのアナログ音声信号をデジタル音声信号に変換してＤＳＰ処理部１０２またはＣＰＵ処理部１０３に出力したり、ＤＳＰ処理部１０２またはＣＰＵ処理部１０３から入力した、メロディや通話相手の音声などのデジタル音声信号をアナログ音声信号に変換してスピーカ１０８やレシーバ１１０に出力する。
【００３４】
キー操作部１０７は、図３に示すような様々なキー１３１〜１３５並びにテンキーが設けられている。キー１３１はオフフックキーとして利用され、キー１３２はオンフックキーとして利用され、キー１３３は上移動キーとして利用され、キー１３４は下移動キーとして利用され、キー１３５は決定キーとして利用される。
【００３５】
この電話装置の基本的な動作は、一般の携帯電話と同様である。例えば、電話装置の待ち受け中に基地局からの着信動作が発生すると、無線部１０１とＣＰＵ処理部１０３により所定の着呼処理が始まり、着信音もしくは着信メロディによりスピーカ１０８が鳴動すると共に、相手局から通知された相手先電話番号が画面表示部１０６の画面に表示される。この時、キー操作部１０７にあるオフフックキー１３１を押下することにより通話が開始され、マイク１０９に入力する送話音とレシーバ１１０に出力される受話音とで相手局との通話を行う。
【００３６】
また、メモリダイアル機能を実現するために、メモリ１０４には、氏名と、その氏名に対応させた電話番号やメールアドレスなどの通信用の識別情報と、を記憶する電話帳のための領域が設けてある。着信のあった相手先の電話番号がメモリ１０４の電話帳に既に登録されている場合には、その電話番号に基づきメモリ１０４の電話帳から相手先の氏名が検索され、相手先の氏名が画面表示部１０６に表示される。
【００３７】
また、通話が終了し、相手側のオンフック信号が基地局を通じて通知されるか、又は自局のキー操作部１０７にあるオンフックキー１３２が押下されると通話のための処理が終了する。なお、オフフックキー１３１は通話キー又は通話ボタンと呼ばれることもあり、オンフックキー１３２は終話キー又は終話ボタンと呼ばれることもある。
【００３８】
ＣＰＵ処理部１０３及びＤＳＰ処理部１０２は、通話中に送話音声及び受話音声を処理するだけでなく、互いに連携して動作することにより図４に示すような音声認識部を構成することができる。この音声認識部は、比較部４１、氏名抽出部４２が備わっている。
【００３９】
また、メモリ１０４は、図４に示すように、電話帳４５の他に、挨拶辞書４３及び氏名辞書４４がメモリ１０４に設けてある。挨拶辞書４３には、出荷国の言語ないしは所望の言語での挨拶表現に使われる単語毎の音データと、コード化された文字データと、が登録されている。挨拶表現に使われる単語としては、例えば、「こんにちは」や「お世話になります」などが登録されている。氏名辞書４４には、挨拶辞書４３と同様に、様々な姓または名前の音データと、コード化された文字データと、が登録されている。なお、図４では、１つのメモリ１０４に挨拶辞書４３、氏名辞書４４および電話帳４５を含むように構成しているが、それぞれを別のメモリにより構成するようにしても良い。
【００４０】
図４に示す音声認識部において、比較部４１は、音声入出力部１０５から入力したデジタル音声信号と挨拶辞書４３に登録されている各種の挨拶表現の単語の音データとを比較して、通話中のデジタル音声信号の中から挨拶表現の単語を探す。比較部４１が挨拶表現の単語を検出した場合、氏名抽出部４２は、その挨拶表現の単語前後のデジタル音声信号を文脈に応じた単語に分割し、分割した単語の中から氏名の候補となる単語を抽出する。  比較部４１は、氏名抽出部４２がデジタル音声信号から抽出した氏名の候補となる単語と氏名辞書４４に登録されている姓または名前の音データとを比較して、一致若しくは近いものを登録すべき氏名の音データとして判定し、その登録すべき氏名の文字データを氏名辞書４４から読み出す。
【００４１】
つまり、音声認識部は通話中の音声から、通話相手の氏名を自動的に特定することができる。例えば、相手先の発した音声の中に、「こんにちは、松下です。いつもお世話になります。」のような文章が現れた場合には、挨拶辞書４３に登録された挨拶表現に該当する「こんにちは」後の「松下」の単語が氏名の候補として抽出され、これと氏名辞書４４に登録されている姓とが一致するので、「松下」が登録すべき氏名として抽出される。もちろん、相手局が発した音声だけでなく、自端末利用者が発した音声から相手の氏名を抽出することも可能である。
【００４２】
本発明の第１の実施の形態の電話装置は、上述のように音声認識部が抽出した氏名をメモリ１０４の電話帳４５へ登録するための登録処理を実行する。以下、通話開始から電話帳４５に氏名を登録するまでの登録処理（以下、「メモリダイアル登録モード」と称する）について、図２のフローチャートを参照して説明する。なお、メモリダイアル登録モードは、初期状態で有効な状態になっているが、不要な場合にはキー操作部１０７からの指示により無効にすることもできる。
【００４３】
ＣＰＵ処理部１０３は、メモリダイアル登録モードが有効な状態で着呼、すなわち相手局からの呼び出しが発生すると、無線部１０１を介して着信した相手局から通知される相手先電話番号を取り出し（Ｓ２０１）、この電話番号が既に自端末のメモリ１０４の電話帳４５に登録されているかを調べる。なお、相手先電話番号が既に自端末の電話帳４５に登録されている場合（Ｓ２０２、ＹＥＳ）にはメモリダイアル登録モードを終了する。なお、着呼を検出しかつ自端末のオフフックを検出した後で図２の処理を開始しても良い。
【００４４】
ＣＰＵ処理部１０３は、相手先電話番号が自端末の電話帳４５にまだ登録されていない場合（Ｓ２０２、ＮＯ）、着信履歴及び通話履歴の中から該当する相手先電話番号と一致する電話番号の記録を調べて、その電話番号の利用頻度を予め定めた定数と比較して判定する（Ｓ２０３）。ここで、着信履歴は、不特定の相手局からの着呼を自端末が検出する度に、相手局から通知された相手先電話番号の情報を着信日時などの情報と共に保持するデータ記録領域の内容であり、メモリ１０４上に設けられている。また、通話履歴は、自端末から不特定の相手局にダイアルして呼び出す度に、ダイアルした相手局の相手先電話番号の情報を発信日時などの情報と共に保持するデータ記録領域の内容である。ＣＰＵ処理部１０３は、相手先電話番号の利用頻度を予め定めた定数と比較して判定する際、例えば、最近のｎ日間にｍ回以上の頻度（ｎ、ｍは定数）で履歴が存在した場合には（Ｓ２０４、ＹＥＳ）、この相手先電話番号をメモリダイアル登録候補と判定し、通話中の音声データによる音声認識を開始する（Ｓ２０５）。利用頻度の低い電話番号であれば（Ｓ２０４、ＮＯ）、メモリダイアル登録のための処理を終了する。なお、着信履歴および通話履歴の中の電話番号の利用頻度に応じて登録処理を行うか否かを判定するようにしたが、利用頻度に関わらず、自局の電話帳に登録されていない相手先電話番号全ての登録処理を行うようにしても良い。
【００４５】
ステップ２０５の処理において、音声認識部は、該当する電話番号の相手先との通話が継続している間、音声入出力部１０５から通話中のデジタル音声信号を入力する。そして、音声認識部の比較部４１は、音声入出力部１０５から通話中のデジタル音声信号と挨拶辞書４３に登録された挨拶表現の音データと比較して、通話中のデジタル音声信号のうちの挨拶表現を追跡する。そして、挨拶表現、例えば「こんにちは」の単語の音データが抽出された場合には、氏名抽出部４２は、その挨拶表現の単語前後のデジタル音声信号を文脈に応じた単語に分割し、分割した単語の中から氏名の候補となる単語を抽出する。比較部４１は、氏名抽出部４２がデジタル音声信号から抽出した氏名の候補となる単語と氏名辞書４４に登録されている姓または名前の音データとを比較して一致もしくは近いものの有無を調べる。一致若しくは近いものを検出した場合には（Ｓ２０６、ＹＥＳ）、該当する単語を登録すべき氏名と判定し、その登録すべき氏名の文字データを氏名辞書４４から抽出する（Ｓ２０７）。一致しない場合には（Ｓ２０６、ＮＯ）、所定の条件を満たすまで、例えば氏名候補に該当する単語を抽出するまで、あるいは、適宜の時間が経過するまで、挨拶表現の追跡を継続する。
【００４６】
ステップ２０７の処理後、ＣＰＵ処理部１０３は、通話が終了したか否かを調べる（Ｓ２０８）。すなわち、相手局または自端末のいずれか一方がオフフックの操作を行ったことを検出すると（Ｓ２０８、ＹＥＳ）、通話が終了したものとみなし通話終了の処理を行う（Ｓ２０９）。
【００４７】
ステップ２０９の処理後、ステップ２０７の処理で抽出した氏名の文字データとステップ２０１の処理で抽出した相手先電話番号とを対応付けて、電話帳４５に登録する処理に移行する。その際、電話帳４５に登録するか否かを選択する選択操作を自端末利用者に促すために、画面表示部１０６に所定の登録メッセージを表示して自端末利用者からの選択操作の入力を待つ（Ｓ２１０）。例えば、図５に示すような情報、あるいは図６に示すような登録メッセージが画面に表示される。
【００４８】
図５の登録メッセージを表示した場合には、自端末利用者が例えばキー操作部１０７の上移動キー３３又は下移動キー３４を操作して「登録する」を選択し、決定キー３５を押下した場合（Ｓ２１１、ＹＥＳ）、該当する氏名と電話番号とを対応付けて電話帳４５に登録する（Ｓ２１２）。「登録しない」を選択した場合（Ｓ２１１、ＮＯ）、登録せずにメモリダイアル登録モードを終了する。また、所定時間に渡って入力操作がない場合にも（Ｓ２１３、ＹＥＳ）、登録せずにメモリダイアル登録モードを終了する。
【００４９】
なお、ここで上述のメモリダイアル登録モードでは、通話終了後に、ステップ２０７の処理で抽出した氏名の文字データとステップ２０１の処理で抽出した相手先電話番号とを対応付けて、電話帳４５に登録するようにしたが、ステップ２０７の処理において氏名を抽出した以降の通話中に、電話帳４５に登録するようにするようにしても良い。また、ステップ２１０の処理で、電話帳４５に登録するか否かを選択する選択操作を自端末利用者に促した後、その選択操作に応じて電話帳４５に登録するようにしたが、ステップ２０２の処理で相手先電話番号がまだ登録されていなければ、選択操作を受け付けなくても、自動的に電話帳４５に登録するようにしても良い。
【００５０】
本発明の第１の実施の形態の電話装置によれば、電話番号や名前の情報を手作業や音声入力などの方法で入力する必要がなく、極めて簡単な操作だけで通話した相手先の情報を電子電話帳に登録することができ、メモリダイアル機能を利用するための、名前情報と電話番号の登録処理にかかる時間を短縮することができる。さらに、目や手が不自由な障害者や高齢者の場合であっても、通話頻度の高い相手先を簡単に電子電話帳に登録できるので、便利なメモリダイアル機能を利用できる。
【００５１】
なお、ステップＳ２１１における自端末利用者の選択操作については、必要に応じて様々なキーを割り当てることができ、複数のキーを同時にあるいは順番に操作するように割り当てても良い。また、選択操作を更に簡略化するために、ステップＳ２１１で何らかのキーが押下された場合には登録を実行し、所定時間何もキーが操作されなければ登録しないように処理しても良い。
【００５２】
また、マイク１０９から入力された音声を音声入出力部１０５でデジタル音声信号に変換した後、ＤＳＰ処理部１０２及びＣＰＵ処理部１０３の動作によりそのデジタル音声信号に対応する文字コードを作成し、その結果をメモリ１０４の挨拶辞書１４２又は氏名辞書１４３に追加登録する機能を追加しても良い。この構成により、挨拶辞書４３や氏名辞書４４に登録されていない、特殊な挨拶表現や姓または氏名にも対応することができるようになる。
【００５３】
（第２の実施の形態）
本発明の第２の実施の形態の電話装置について、図６に示す、本発明の第２の実施の形態の電話装置における主要動作の処理手順を示すフローチャート、図７に示す、当該電話装置の音声認識部のブロック図、を参照して説明する。
【００５４】
本発明の第２の実施の形態の電話装置は、第１の実施の形態の変形例であり、図２のステップ２１０の処理をステップ６０１の処理に変更している。また、図６において図２と同一の処理は同一のステップ番号を付けて示してある。以下、変更したステップ６０１の処理について説明する。
【００５５】
ステップ２０７の処理で抽出した氏名とステップ２０１の処理で抽出した相手先電話番号とを対応付けて、電話帳４５に登録する際、電話帳４５に登録するか否かを選択する選択操作を自端末利用者に促すために、本発明の第１の実施の形態の電話装置では、ステップ２１０の処理において、画面表示部１０６に所定の登録メッセージを表示して自端末利用者からの選択操作の入力を待つが、本発明の第２の実施の形態の電話装置では、登録メッセージを音声出力して自端末利用者からの選択操作の入力を待つ（Ｓ６０１）。
【００５６】
ＣＰＵ処理部１０３及びＤＳＰ処理部１０２により構成される音声認識部による処理について、図７を参照して説明する。音声認識部は、登録メッセージを音声出力するために、メモリ１０４に記憶された登録メッセージ７１の音データを読み取り、音声入出力部１０５に出力する。音声入出力部１０５は、音声認識部から入力した音データをアナログ信号に変換してスピーカ１０８に出力し、スピーカ１０８に出力させる。
【００５７】
出力する登録メッセージとしては、例えば「ただ今の通話相手を松下さんとして登録しますか。登録する時は何れかの釦を押して下さい。登録しない場合は、そのままでお待ち下さい。」のように、登録メッセージ中にステップ２０７の処理で抽出した氏名を含ませるものも考えられる。このような場合、音声認識部は、抽出した氏名に対応する音データを氏名辞書４４から読み取り、この氏名に対応する音データと、登録メッセージ７１から読み取った音データを合成して、音声入出力部１０５に出力するようにすることもできる。また、登録メッセージを音声出力するのと併せて、同じ登録メッセージをステップ２１０の処理により画面表示部１０６に表示しても良い。
【００５８】
本発明の第２の実施の形態の電話装置によれば、例えば視力の弱い障害者や高齢者のように画面上の小さな文字が見えにくい利用者の場合であっても、音声出力された登録メッセージを容易に確認し登録の操作を行うことができる。従って、誰でもメモリダイアル機能を利用することが可能になる。
【００５９】
（第３の実施の形態）
本発明の第３の実施の形態の電話装置について、図８に示す、本発明の第３の実施の形態の電話装置における音声認識部のブロック図を参照して説明する。
【００６０】
本発明の第３の実施の形態の電話装置は、第１の実施の形態または第２の実施の形態の変形例であり、ステップ２１１の処理が、自端末利用者からの選択操作の入力を音声入力で受け付けるよう構成されている。この音声入力を受け付けるために図８に示す音声認識部の機能が追加されている。追加された部分について以下に説明する。
【００６１】
ＣＰＵ処理部１０３とＤＳＰ処理部１０２とにより構成される音声認識部は、マイク１０９を介して入力した当該電話装置利用者のアナログ音声信号を音声入出力部１０５により変換したデジタル音声信号を入力する。比較部４１は、音声入出力部１０５から入力したデジタル音声信号と回答辞書８１に登録された各種回答用の単語の音データと比較し、一致若しくは近い場合に、そのデジタル音声信号の内容を特定する。回答辞書８１は、メモリ１０４に設けられており、出荷国言語乃至は所望の言語を利用して自端末利用者の回答表現に使われる単語毎の音データが登録されている。文字データとしては、例えば、「はい」、「ええ」、「いいえ」等の単語を回答辞書８１に登録しておけばよい。
【００６２】
本発明の第３の実施の形態の電話装置では、図２のステップ２１０または図６のステップ６０１の処理により、登録メッセージを表示または音声出力した直後に、音声認識部１５０を起動してマイク１０９から回答用の音声入力を受け付ける（Ｓ２１１）。
【００６３】
図２のステップ２１０または図６のステップ６０１の処理により表示または音声出力する登録メッセージは、例えば「ただ今の通話相手を松下さんとして登録しますか。登録する時は「はい」、登録しない時は「いいえ」でお答え下さい。」等を用いればよい。また、「ただ今の通話相手を松下さんとして登録しますか。登録する時は「はい」とお答え下さい。登録しない時は、そのままでお待ち下さい。」等のメッセージを用いても良い。
【００６４】
比較部４１は、「はい」又はそれに準ずる表現と「いいえ」又はそれに準ずる表現とを識別し、自端末利用者からの選択内容を判定する。ＣＰＵ処理部１０３は、この判定に基づき、図２のステップ２１１の処理の分岐を行う。
【００６５】
本発明の第３の実施の形態の電話装置によれば、第１の実施の形態や第２の実施の形態と同様のメモリダイアル登録のための操作を音声入力で実現することができ、手の不自由な障害者や高齢者のように、形状の小さなキーを操作するのが苦手な利用者の場合であっても、登録のための操作を確実に行うことが可能であり、誰でもメモリダイアル機能を利用することが可能になる。
【００６６】
（第４の実施の形態）
本発明の第４の実施の形態の電話装置について、図９及び図１０を参照しながら説明する。図９は、本発明の第４の実施の形態の電話装置における、メモリの構成例を示す模式図である。図１０は、本発明の第４の実施の形態の電話装置における、着信音出力のための処理手順を示すフローチャートである。図１１は、本発明の第４の実施の形態の電話装置における、音声認識部のブロック図である。
【００６７】
本発明の第４の実施の形態の電話装置は、第１の実施の形態、第２の実施の形態または第３の実施の形態の変形例であり、図２のステップ２１２の処理で氏名と電話番号を電話帳４５に登録する処理を変更したものである。他の処理については第１の実施の形態と同様である。変更された部分について以下に説明する。
【００６８】
ＣＰＵ処理部１０３は、ステップ２０７の処理で抽出した氏名の文字データと、相手先電話番号と、をステップ２１２の処理において電話帳４５に登録する際、氏名情報４４に記録された、抽出した氏名に該当する音データを取り出すための、アドレスを表すインデックス情報を併せて電話帳４５に登録する。
【００６９】
例えば、図９に示すメモリ領域において、「番号１」と「名前１」とで構成される相手先の情報を登録する際には、氏名辞書４４の「名前１」の音データが登録されたアドレスを表す情報「ＩＮＤ１」が音声インデックスとしてメモリ１０４に登録される。
【００７０】
以下、上述のメモリ１０４に記録されたデータを利用して、着呼を検出した際の着信音を出力する際の処理手順を、図１０に示すフローチャートを参照して、また、この処理を実行する際の音声認識部の構成を、図１１を参照して、説明する。
【００７１】
ＣＰＵ処理部１０３は、相手局から通知された相手先電話番号に基づいて電話帳４５の内容を参照し、相手先電話番号に対応する音声インデックスの有無を調べる（Ｓ１００１）。音声インデックスが存在しない場合（Ｓ１００１、ＮＯ）、予め設定された通常の着信音をスピーカ１０８により出力する（Ｓ１００５）。
【００７２】
音声インデックスが存在する場合（Ｓ１００１、ＹＥＳ）、ＤＳＰ処理部１０２およびＣＰＵ処理部１０３から構成される音声認識部は、音声インデックスに記述されたアドレスを参照して、メモリ１０４の氏名辞書４４から音データを読み出す（Ｓ１００２）。
【００７３】
音声認識部は、ステップ１００２の処理で読み出した音データを、予めメモリ１０４上に用意された定型の音声メッセージ１１０１と組み合わせて、呼び出しメッセージを生成する（Ｓ１００３）。例えば、「音声インデックス」から氏名辞書４４の音データ「松下」を引用した場合には、「松下さんから電話です。」のような呼び出しメッセージの音声情報を生成する。
【００７４】
音声入出力部１０５は、音声認識部からステップ１００３の処理で生成した呼び出しメッセージを入力し、アナログ信号に変換した呼出メッセージをスピーカ１０８に出力して、音声として「松下さんから電話です。」のような呼び出しメッセージをスピーカ１０８に出力させる（Ｓ１００４）。
【００７５】
その後、ＣＰＵ処理部１０３は、予め設定された通常の着信音をスピーカ１０８により出力するようにしても良い。
【００７６】
この形態では、予めメモリ１０４上に登録した相手先から着信があった場合には、相手先の名前を含む呼び出しメッセージが音声出力されるので、画面の表示を見なくても確実に相手先を確認することができる。しかも、登録のために事前に特別な音声を入力するような操作を行う必要もない。
【００７７】
従って、この形態では視力の弱い障害者や高齢者のように、画面上の小さな文字が見えにくい利用者の場合であっても、音声により確実に相手先を確認することができる。
【００７８】
なお、前述の各実施の形態においては、相手先の情報を直接、電子電話帳に登録する場合を示したが、事前に電子電話帳の記憶領域を「友人」や「仕事先」のようにグループ別に区分しておき、相手先が属するグループを区別してから該当する電子電話帳の領域に登録するような機能を加えても良い。その場合の案内メッセージの出力については、前述の実施の形態と同様に画面表示や音声合成で案内メッセージを出力すればよく、入力操作についてもキー入力や音声認識により行うことが可能である。
【産業上の利用可能性】
【００７９】
本発明を携帯電話などに適用することにより、目や手が不自由な障害者や高齢者のように、複雑な操作が苦手な利用者の場合であっても、頻繁に利用する相手先の情報を極めて簡単に電子電話帳に登録できるので、便利なメモリダイアル機能を誰でも容易に利用可能になる。
【００８０】
また、通話が終了したときに自動的に登録の確認を行うことにより、登録操作を忘れる心配がなくなる。また、利用頻度の低い相手先については登録を省略できるので、無駄な入力操作を行う必要もない。
【図面の簡単な説明】
【００８１】
【図１】本発明の第１の実施の形態の電話装置のハードウェアの構成例を示すブロック図
【図２】本発明の第１の実施の形態の電話装置における主要動作の処理手順を示すフローチャート
【図３】本発明の第１の実施の形態の電話装置のキー操作部の配置例
【図４】本発明の第１の実施の形態の電話装置の音声認識部のブロック図。
【図５】本発明の第１の実施の形態の電話装置のメモリ登録選択時の画面表示例
【図６】本発明の第２の実施の形態の電話装置における主要動作の処理手順を示すフローチャート
【図７】本発明の第２の実施の形態の電話装置の音声認識部のブロック図
【図８】本発明の第３の実施の形態の電話装置における音声認識部のブロック図
【図９】本発明の第４の実施の形態の電話装置における、電子電話帳の構成例
【図１０】本発明の第４の実施の形態の電話装置における、着信音出力のための処理手順を示すフローチャート
【図１１】本発明の第４の実施の形態の電話装置における音声認識部のブロック図
【符号の説明】
【００８２】
１０１  無線部
１０２  ＤＳＰ処理部
１０３  ＣＰＵ処理部
１０４  メモリ
１０５  音声入出力部
１０６  画面表示部
１０７  キー操作部
１０８  スピーカ
１０９  マイク
１１０  レシーバ
３１〜１３５  キー
４１  比較部
４２  氏名抽出部
４３  挨拶辞書
４４  氏名辞書
７１  登録メッセージ
８１  回答辞書
１１０１  音声メッセージ
【図１】
2006174111.tif 000003
【図２】
2006174111.tif 000004
【図３】
2006174111.tif 000005
【図４】
2006174111.tif 000006
【図５】
2006174111.tif 000007
【図６】
2006174111.tif 000008
【図７】
2006174111.tif 000009
【図８】
2006174111.tif 000010
【図９】
2006174111.tif 000011
【図１０】
2006174111.tif 000012
【図１１】
2006174111.tif 000013